(57)【要約】【課題】受像管に映し出される画像の輝度が低いと画像幅が小さくなる傾向があった。【解決手段】ＡＣＬ電圧を電源装置のフィードバック回路にトランジスタＱ２１，Ｑ２２を介して入力することで、受像管の管面輝度に基づき電源装置の出力電圧＋Ｂを制御することができる。受像管の管面輝度が大きい場合には、ＡＣＬ回路によりカソードアンプに出力される映像信号のコントラストを制限することで、画像幅の広がりを防止するとともに、電源装置は出力電圧＋Ｂを一定に維持する。一方、管面輝度が小さい場合には、電源装置の出力電圧＋Ｂを大きくし、水平偏向回路２５の出力を高めることにより、水平方向の画像幅が狭まることを防止する。【選択図】  図４
2004343289.tif 000002
【特許請求の範囲】
【請求項１】
入力された映像信号を処理し、カソードアンプを介して受像管に出力する映像信号処理回路と、上記受像管のアノード電極に供給する高圧を生成するフライバックトランスを含む高圧発生回路と、上記受像管の管面輝度が高いと電位が低くなり同管面輝度が低いと電位が高くなるＡＣＬ電圧を上記フライバックトランスから取得するとともに、同ＡＣＬ電圧の電位が所定値より大きいとコントラストレベルを低下させ管面輝度を規制するＡＣＬ制御回路と、二次側直流電圧を生成するトランスを含む電源装置と、上記二次側直流電圧を入力して電子ビームを偏向させる水平偏向回路とを具備するテレビジョンにおいて、上記電源装置は、抵抗回路と第一のコンデンサとからなる第一の直列回路と、同第一の直列回路の一端にベースを接続されて一次側直流電圧をオンオフしてパルス状の一次側電圧を生成する発振用トランジスタと、
この発振用トランジスタのベースとグランドとの間にコレクタ−エミッタ間を接続された発振補助用トランジスタと、
この発振補助用トランジスタのベースとグランドとの間に介在する第二のコンデンサと、
生成された上記一次側電圧を入力して二次側電圧を出力するトランスと、
上記二次側電圧の出力部にアノード側を接続された整流用ダイオードと、
同整流用ダイオードのカソード側とグランドとの間にそれぞれ介在する整流用コンデンサとを有し、同整流用ダイオードのカソード側から二次側直流電圧を出力する直流化回路と、
上記トランスと第一の直列回路との接続部にアノード側を接続された第三のコンデンサとダイオードとからなる第二の直列回路と、
この第二の直列回路のカソード側と上記発振補助用トランジスタのベースとの間に出力側の両端を接続されたフォトカプラＩＣと、
上記二次側直流電圧の出力部に一端を接続された電圧供給用抵抗回路と、
グランドにアノード側を接続されるとともに同電圧供給用抵抗回路の他端にカソード側を接続されて基準電位を生成するツェナーダイオードと、
このツェナーダイオードのカソード側と同フォトカプラの入力側の一端との間にコレクタ−エミッタ間が接続され、ベースが上記二次側直流電圧に接続されたｎｐｎ形の電源帰還用トランジスタと、
上記電源帰還用トランジスタのベースとグランドの間にコレクタ−エミッタが接続され、ベースが上記ＡＣＬ電圧に接続されたｎｐｎ形のＡＣＬ帰還用トランジスタとを具備するとともに、
上記電源帰還用トランジスタのベース電流は、上記ＡＣＬ帰還用トランジスタのコレクタ−エミッタ間に流れる電流に応じて減少させられ、同電源帰還用トランジスタのベース電流値と上記基準電位に対応する電流値を比較しつつ同フォトカプラの入力側に帰還電流を流すことにより、上記ＡＣＬ電圧の電位が高い程、生成される上記二次側直流電圧を大きくするとともに、上記ＡＣＬ電圧の電位が低い場合には上記二次側直流電圧を一定化させることを特徴とするテレビジョン。
【請求項２】
入力された映像信号を処理し、カソードアンプを介して受像管に出力する映像信号処理回路と、上記受像管のアノード電極に供給する高圧を生成するフライバックトランスを含む高圧発生回路と、上記受像管の管面輝度が高いと電位が低くなり同管面輝度が低いと電位が高くなるＡＣＬ電圧を上記フライバックトランスから取得するとともに、同ＡＣＬ電圧の電位が所定値より大きいとコントラストレベルを低下させ管面輝度を規制するＡＣＬ制御回路と、二次側直流電圧を生成するトランスを含む電源装置と、上記二次側直流電圧を入力して電子ビームを偏向させる水平偏向回路とを具備するテレビジョンにおいて、
上記電源装置は、上記ＡＣＬ電圧および上記二次側直流電圧の電圧レベルをフィードバックさせることにより、上記ＡＣＬ電圧の電位が高い程、生成される上記二次側直流電圧を大きくするとともに、上記ＡＣＬ電圧の電位が低い場合には上記二次側直流電圧を一定化させることを特徴とするテレビジョン。
【請求項３】
上記電源装置は、一次側直流電圧をオンオフしてパルス状の一次側電圧を生成するスイッチング回路と、
生成された上記一次側電圧を入力して二次側電圧を出力する上記トランスと、
出力される上記二次側電圧を二次側直流電圧に変換する直流化回路と、
上記ＡＣＬ電圧および上記二次側直流電圧の電圧レベルに基づいて上記スイッチング回路に上記一次側直流電圧をオンオフさせるフィードバック回路とを具備することを特徴とする請求項２に記載のテレビジョン。
【請求項４】
上記スイッチング回路は、抵抗回路と第一のコンデンサとからなる第一の直列回路と、
同第一の直列回路の一端にベースを接続されて一次側直流電圧をオンオフしてパルス状の一次側電圧を生成する発振用トランジスタと、
この発振用トランジスタのベースとグランドとの間にコレクタ−エミッタ間を接続された発振補助用トランジスタと、
この発振補助用トランジスタのベースとグランドとの間に介在する第二のコンデンサとを備え、
上記フィードバック回路は、上記トランスと第一の直列回路との接続部にアノード側を接続された第三のコンデンサとダイオードとからなる第二の直列回路と、
この第二の直列回路のカソード側と上記発振補助用トランジスタのベースとの間に出力側の両端を接続されたフォトカプラＩＣと、
上記二次側直流電圧の出力部に一端を接続された電圧供給用抵抗回路と、
グランドにアノード側を接続されるとともに同電圧供給用抵抗回路の他端にカソード側を接続されて基準電位を生成するツェナーダイオードと、
このツェナーダイオードのカソード側と同フォトカプラの入力側の一端との間にコレクタ−エミッタ間が接続され、ベースが上記二次側直流電圧に接続されたｎｐｎ形の電源帰還用トランジスタと、
上記電源帰還用トランジスタのベースとグランドの間にコレクタ−エミッタが接続され、ベースが上記ＡＣＬ電圧に接続されたｎｐｎ形のＡＣＬ帰還用トランジスタとを具備するとともに、
上記電源帰還用トランジスタのベース電流は、上記ＡＣＬ帰還用トランジスタのコレクタ−エミッタ間に流れる電流に応じて減少させられ、同電源帰還用トランジスタのベース電流値と上記基準電位に対応する電流値を比較しつつ同フォトカプラの入力側に帰還電流を流すことを特徴とするテレビジョン。
【請求項５】
上記直流化回路は、上記二次側電圧の出力部にアノード側を接続された整流用ダイオードと、同整流用ダイオードのカソード側とグランドとの間にそれぞれ介在する整流用コンデンサとを有し、同整流用ダイオードのカソード側から直流電圧を出力することを特徴とする請求項２から請求項４のいずれかにテレビジョン。
【発明の詳細な説明】
【０００１】
【発明の属する技術分野】
本発明は、テレビジョンに関し、特にＡＣＬ制御ラインにより受像管の管面輝度を規制するテレビジョンする。
【０００２】
【従来の技術】
従来、画像の輝度に基づいて変化するＡＢＬ制御電圧を水平振幅コントロール回路に入力することで、水平振幅をフィードバック制御するものが知られている（例えば、実用新案文献１、参照。）。
【０００３】
かかる構成によれば、輝度が大きく高圧の負荷が大きい場合には、水平振幅コントロール回路により水平偏向電圧を減少させることで水平振幅が大きくなることを制限する。一方、輝度が小さく高圧の負荷が小さい場合には、水平偏向電圧を増大させることで水平振幅が小さくなることを制限する。従って、画像の輝度に拘わらず一定の画像幅を維持させることが可能となる。
【実用新案文献１】
実開平５−３６９７４号公報
【０００４】
【発明が解決しようとする課題】
上述した従来の技術においては、水平振幅コントロール回路を具備することが必要となっていた。この水平振幅コントロール回路は大型の受像管を有するテレビジョンに多く採用されるものの、小型の受像管に対してはコスト、設置容積等の理由により採用されないことが多かった。従って、小型の受像管を有するテレビジョンに対しては適用することができない場合が多いという課題があった。
本発明は、上記課題にかんがみてなされたもので、小型の受像管においても画像幅を一定とすることが可能なテレビジョンの提供を目的とする。
【０００５】
【課題を解決するための手段】
上記目的を達成するため、請求項１にかかる発明は、入力された映像信号を処理し、カソードアンプを介して受像管に出力する映像信号処理回路と、上記受像管のアノード電極に供給する高圧を生成するフライバックトランスを含む高圧発生回路と、上記受像管の管面輝度が高いと電位が低くなり同管面輝度が低いと電位が高くなるＡＣＬ電圧を上記フライバックトランスから取得するとともに、同ＡＣＬ電圧の電位が所定値より大きいとコントラストレベルを低下させ管面輝度を規制するＡＣＬ制御回路と、二次側直流電圧を生成するトランスを含む電源装置と、上記二次側直流電圧を入力して電子ビームを偏向させる水平偏向回路とを具備するテレビジョンにおいて、
上記電源装置は、抵抗回路と第一のコンデンサとからなる第一の直列回路と、同第一の直列回路の一端にベースを接続されて一次側直流電圧をオンオフしてパルス状の一次側電圧を生成する発振用トランジスタと、この発振用トランジスタのベースとグランドとの間にコレクタ−エミッタ間を接続された発振補助用トランジスタと、この発振補助用トランジスタのベースとグランドとの間に介在する第二のコンデンサと、生成された上記一次側電圧を入力して二次側電圧を出力するトランスと、上記二次側電圧の出力部にアノード側を接続された整流用ダイオードと、同整流用ダイオードのカソード側とグランドとの間にそれぞれ介在する整流用コンデンサとを有し、同整流用ダイオードのカソード側から二次側直流電圧を出力する直流化回路と、上記トランスと第一の直列回路との接続部にアノード側を接続された第三のコンデンサとダイオードとからなる第二の直列回路と、この第二の直列回路のカソード側と上記発振補助用トランジスタのベースとの間に出力側の両端を接続されたフォトカプラＩＣと、上記二次側直流電圧の出力部に一端を接続された電圧供給用抵抗回路と、グランドにアノード側を接続されるとともに同電圧供給用抵抗回路の他端にカソード側を接続されて基準電位を生成するツェナーダイオードと、このツェナーダイオードのカソード側と同フォトカプラの入力側の一端との間にコレクタ−エミッタ間が接続され、ベースが上記二次側直流電圧に接続されたｎｐｎ形の電源帰還用トランジスタと、上記電源帰還用トランジスタのベースとグランドの間にコレクタ−エミッタが接続され、ベースが上記ＡＣＬ電圧に接続されたｎｐｎ形のＡＣＬ帰還用トランジスタとを具備するとともに、上記電源帰還用トランジスタのベース電流は、上記ＡＣＬ帰還用トランジスタのコレクタ−エミッタ間に流れる電流に応じて減少させられ、同電源帰還用トランジスタのベース電流値と上記基準電位に対応する電流値を比較しつつ同フォトカプラの入力側に帰還電流を流すことにより、上記ＡＣＬ電圧の電位が高い程、生成される上記二次側直流電圧を大きくするとともに、上記ＡＣＬ電圧の電位が低い場合には上記二次側直流電圧を一定化させる構成としてある。
【０００６】
上記のように構成した請求項１にかかる発明は、上記受像管には、上記映像信号処理回路により処理された上記映像信号が上記カソードアンプを介し入力されるとともに、上記フライバックトランスを含む上記高圧発生回路により生成された上記高圧が供給される。上記フライバックトランスからは、上記ＡＣＬ制御ラインにより上記ＡＣＬ電圧が取得される。このＡＣＬ電圧は、上記受像管の管面輝度が高いと電位が低くなり同管面輝度が低いと電位が高くなる。そして、上記ＡＣＬ電圧の電位が所定値より高いとコントラストレベルを低下させ管面輝度を規制する。上記電源装置は、上記トランスを有し二次側直流電圧を生成する。この二次側直流電圧は、上記水平偏向回路および上記垂直偏向回路に入力され、電子ビームの偏向に供させる。
【０００７】
一次側直流電圧は発振用トランジスタによりオンオフされて、パルス状の一次側電圧が生成する。発振用トランジスタにより生成された一次側電圧はトランスに入力され、同トランスから二次側電圧が出力される。出力された二次側電圧は、整流用ダイオードにより整流され、整流用コンデンサにより平滑されて、二次側直流電圧とされる。上記電源帰還用トランジスタのベース電流が上記基準電位に対応する電流値以上であるときに、上記フォトカプラＩＣの入力側に帰還電流を流す。すると、発振用トランジスタのベース電流が減少するため、生成される上記二次側電圧および上記二次側直流電圧が小さくなる。一方、上記電源帰還用トランジスタのベース電流が上記基準電位に対応する電流値以下であるときに、上記フォトカプラＩＣの入力側に帰還電流は流れない。このとき、発振用トランジスタのベース電流が増加するため、生成される上記二次側電圧および上記二次側直流電圧が大きくなる。
【０００８】
ここで、上記二次側直流電圧から流れ込む電流は、上記ＡＣＬ帰還用トランジスタのコレクタ−エミッタを介してグランドに流れ込む電流と、上記電源帰還用トランジスタのベースに流れ込む電流とに分流される。上記ＡＣＬ帰還用トランジスタのベースは上記ＡＣＬ電圧が入力されているため、同ＡＣＬ電圧の電位が高い場合には、上記ＡＣＬ帰還用トランジスタのコレクタ−エミッタ間の電流量が大きくなる。すると、上記電源帰還用トランジスタのベース電流は減少する。従って、生成される上記二次側電圧および上記二次側直流電圧が大きくなる。
【０００９】
一方、上記ＡＣＬ電圧の電位が低い場合には、上記ＡＣＬ帰還用トランジスタのコレクタ−エミッタを介してグランドに流れ込む電流は少なくなるため、上記電源帰還用トランジスタのベース電流量は上記二次側直流電流から流れ込む電流量に大きく依存することとなる。すなわち、上記電源帰還用トランジスタのベース電流は、上記二次側直流電圧に大きく依存することとなる。従って、上記二次側直流電圧の電位が低いと、上記フォトカプラＩＣの入力側に帰還電流は流れず、生成される上記二次側電圧および上記二次側直流電圧が大きくなる。上記二次側直流電圧の電位が高いと、生成される上記二次側電圧および上記二次側直流電圧が小さくなる。すなわち、上記二次側電圧の変動に応じて生成される上記二次側直流電圧を一定化させる定電圧回路を構成することができる。
【００１０】
上記ＡＣＬ電圧の電位が高く上記受像管の管面輝度が小さい場合には、上記アノード電極に流れるビーム電流が少なく、高圧の電位が高くなる。このとき、電子ビームは上記水平偏向回路および上記垂直偏向回路の影響を受け難く上記受像管に映し出される画像の幅は小さくなる。しかしながら、上記ＡＣＬ電圧の電位が高い場合には、上記二次側直流電圧が大きく生成されるため、上記水平偏向回路の出力が大きくなり、上記受像管に映し出される画像の幅が小さくなることが防止される。
【００１１】
また、請求項２にかかる発明は、入力された映像信号を処理し、カソードアンプを介して受像管に出力する映像信号処理回路と、上記受像管のアノード電極に供給する高圧を生成するフライバックトランスを含む高圧発生回路と、上記受像管の管面輝度が高いと電位が低くなり同管面輝度が低いと電位が高くなるＡＣＬ電圧を上記フライバックトランスから取得するとともに、同ＡＣＬ電圧の電位が所定値より大きいとコントラストレベルを低下させ管面輝度を規制するＡＣＬ制御回路と、二次側直流電圧を生成するトランスを含む電源装置と、上記二次側直流電圧を入力して電子ビームを偏向させる水平偏向回路および垂直偏向回路とを具備するテレビジョンにおいて、
上記電源装置は、上記ＡＣＬ電圧および上記二次側直流電圧の電圧レベルをフィードバックさせることにより、上記ＡＣＬ電圧の電位が高い程、生成される上記二次側直流電圧を大きくするとともに、上記ＡＣＬ電圧の電位が低い場合には上記二次側直流電圧を一定化させる構成としてある。
【００１２】
上記のように構成した請求項２にかかる発明は、上記受像管には、上記映像信号処理回路により処理された上記映像信号が上記カソードアンプを介し入力されるとともに、上記フライバックトランスを含む上記高圧発生回路により生成された上記高圧が供給される。上記フライバックトランスからは、上記ＡＣＬ制御ラインにより上記ＡＣＬ電圧が取得される。このＡＣＬ電圧は、上記受像管の管面輝度が高いと電位が低くなり同管面輝度が低いと電位が高くなる。そして、上記ＡＣＬ電圧の電位が所定値より高いとコントラストレベルを低下させ管面輝度を規制する。上記電源装置は、上記トランスを有し二次側直流電圧を生成する。この上記二次側直流電圧は、上記水平偏向回路および上記垂直偏向回路に入力され、電子ビームを偏向させる。
【００１３】
上記電源装置は、上記ＡＣＬ電圧および上記二次側直流電圧の電圧レベルをフィードバックさせて上記二次側直流電圧を生成する。上記ＡＣＬ電圧の電位が高い場合においては上記二次側直流電圧を大きく生成するとともに、上記ＡＣＬ電圧の電位が高い場合においては、上記二次側直流電圧を一定化させる。上記ＡＣＬ電圧の電位が高く上記受像管の管面輝度が小さい場合には、上記アノード電極に流れるビーム電流が少なく、高圧の電位が高くなる。このとき、電子ビームは上記水平偏向回路および上記垂直偏向回路の影響を受け難く上記受像管に映し出される画像の幅は小さくなる。しかしながら、上記ＡＣＬ電圧の電位が高い場合には、上記二次側直流電圧が大きく生成されるため、上記水平偏向回路および上記垂直偏向回路の出力が大きくなり、上記受像管に映し出される画像の幅が小さくなることが防止される。
【００１４】
さらに、請求項３にかかる発明において、上記電源装置は、一次側直流電圧をオンオフしてパルス状の一次側電圧を生成するスイッチング回路と、生成された上記一次側電圧を入力して二次側電圧を出力する上記トランスと、出力される上記二次側電圧を二次側直流電圧に変換する直流化回路と、上記ＡＣＬ電圧および上記二次側直流電圧の電圧レベルに基づいて上記スイッチング回路に上記一次側直流電圧をオンオフさせるフィードバック回路とを具備する構成としてある。
【００１５】
上記のように構成した請求項３にかかる発明は、上記スイッチング回路は、一次側直流電圧をオンオフしてパルス状の一次側電圧を生成する。この一次側電圧は、上記フィードバック回路により上記ＡＣＬ電圧および上記直流電圧の電圧レベルに基づいてオンオフされる。すなわち、上記トランスにより出力される上記二次側電圧は、上記ＡＣＬ電圧および上記直流電圧の電圧レベルに基づいて増減させられる。さらに、上記二次側電圧は、上記直流化回路により上記二次側直流電圧に変換される。
【００１６】
さらに、請求項４にかかる発明において、上記スイッチング回路は、抵抗回路と第一のコンデンサとからなる第一の直列回路と、同第一の直列回路の一端にベースを接続されて一次側直流電圧をオンオフしてパルス状の一次側電圧を生成する発振用トランジスタと、この発振用トランジスタのベースとグランドとの間にコレクタ−エミッタ間を接続された発振補助用トランジスタと、この発振補助用トランジスタのベースとグランドとの間に介在する第二のコンデンサとを備え、上記フィードバック回路は、上記トランスと第一の直列回路との接続部にアノード側を接続された第三のコンデンサとダイオードとからなる第二の直列回路と、この第二の直列回路のカソード側と上記発振補助用トランジスタのベースとの間に出力側の両端を接続されたフォトカプラＩＣと、上記二次側直流電圧の出力部に一端を接続された電圧供給用抵抗回路と、グランドにアノード側を接続されるとともに同電圧供給用抵抗回路の他端にカソード側を接続されて基準電位を生成するツェナーダイオードと、このツェナーダイオードのカソード側と同フォトカプラの入力側の一端との間にコレクタ−エミッタ間が接続され、ベースが上記二次側直流電圧に接続されたｎｐｎ形の電源帰還用トランジスタと、上記電源帰還用トランジスタのベースとグランドの間にコレクタ−エミッタが接続され、ベースが上記ＡＣＬ電圧に接続されたｎｐｎ形のＡＣＬ帰還用トランジスタとを具備するとともに、上記電源帰還用トランジスタのベース電流は、上記ＡＣＬ帰還用トランジスタのコレクタ−エミッタ間に流れる電流に応じて減少させられ、同電源帰還用トランジスタのベース電流値と上記基準電位に対応する電流値を比較しつつ同フォトカプラの入力側に帰還電流を流す構成としてある。
【００１７】
上記のように構成した請求項４にかかる発明は、一次側直流電圧は発振用トランジスタによりオンオフされて、パルス状の一次側電圧が生成する。発振用トランジスタにより生成された一次側電圧はトランスに入力され、同トランスから二次側電圧が出力される。出力された二次側電圧は、整流用ダイオードにより整流され、整流用コンデンサにより平滑されて、二次側直流電圧とされる。上記電源帰還用トランジスタのベース電流が上記基準電位に対応する電流値以上であるときに、上記フォトカプラＩＣの入力側に帰還電流を流す。すると、発振用トランジスタのベース電流が減少するため、生成される上記二次側電圧および上記二次側直流電圧が小さくなる。一方、上記電源帰還用トランジスタのベース電流が上記基準電位に対応する電流値以下であるときに、上記フォトカプラＩＣの入力側に帰還電流は流れない。このとき、発振用トランジスタのベース電流が増加するため、生成される上記二次側電圧および上記二次側直流電圧が大きくなる。
【００１８】
ここで、上記二次側直流電圧から流れ込む電流は、上記ＡＣＬ帰還用トランジスタのコレクタ−エミッタを介してグランドに流れ込む電流と、上記電源帰還用トランジスタのベースに流れ込む電流とに分流される。上記ＡＣＬ帰還用トランジスタのベースは上記ＡＣＬ電圧が入力されているため、同ＡＣＬ電圧の電位が高い場合には、上記ＡＣＬ帰還用トランジスタのコレクタ−エミッタ間の電流量が大きくなる。すると、上記電源帰還用トランジスタのベース電流は減少する。従って、生成される上記二次側電圧および上記二次側直流電圧が大きくなる。
【００１９】
一方、上記ＡＣＬ電圧の電位が低い場合には、上記ＡＣＬ帰還用トランジスタのコレクタ−エミッタを介してグランドに流れ込む電流は少なくなるため、上記電源帰還用トランジスタのベース電流量は上記二次側直流電流から流れ込む電流量に大きく依存することとなる。すなわち、上記電源帰還用トランジスタのベース電流は、上記二次側直流電圧に大きく依存することとなる。従って、上記二次側直流電圧の電位が低いと、上記フォトカプラＩＣの入力側に帰還電流は流れず、生成される上記二次側電圧および上記二次側直流電圧が大きくなる。上記二次側直流電圧の電位が高いと、生成される上記二次側電圧および上記二次側直流電圧が小さくなる。すなわち、上記二次側電圧の変動に応じて生成される上記二次側直流電圧を一定化させる定電圧回路を構成することができる。
【００２０】
また、請求項５にかかる発明において、上記直流化回路は、上記二次側電圧の出力部にアノード側を接続された整流用ダイオードと、同整流用ダイオードのカソード側とグランドとの間にそれぞれ介在する整流用コンデンサとを有し、同整流用ダイオードのカソード側から直流電圧を出力する構成としてある。
上記のように構成した請求項５の発明は、二次側電圧は、整流用ダイオードにより整流され、整流用コンデンサにより平滑されて、直流電圧とされる。
【００２１】
【発明の効果】
以上説明したように、請求項１および請求項２にかかる発明によれば、受像管の管面輝度が小さいときに画像幅が小さくなることが防止できる。
請求項３にかかる発明によれば、一次側電圧を二次側直流電圧に変換することが可能となる。
請求項４にかかる発明によれば、簡易な構成でＡＣＬ電圧および二次側直流がフィードバックされる電源装置を提供することができる。
請求項５にかかる発明によれば、汎用的な部品を用いて直流化回路を簡易に構成することができる。
【００２２】
【発明の実施の形態】
以下、下記の順序にしたがって本発明の実施形態について説明する。
（１）テレビジョン装置の構成：
（２）画像幅について：
（３）電源装置の動作：
（４）動作について：
（５）まとめ：
【００２３】
（１）テレビジョン装置の構成：
図１は、本発明の一実施形態にかかるテレビジョン装置１００の構成の概略ブロック図である。なお、利用者が使用する操作パネル、リモコン等は図示を省略している。
図において、テレビジョン装置１００は、放送受信装置として、概略、チューナＩＣ１２と、このチューナＩＣ１２に接続されたクロマＩＣ１３と、チューナＩＣ１２とクロマＩＣ１３に接続されたマイコン１１とを備えている。チューナＩＣ１２とクロマＩＣ１３とマイコン１１は、ＩＩＣバス１０に接続されている。そして、マイコン１１がシリアルデータ通信によってテレビジョン装置１００全体を制御することにより、テレビジョン装置としての機能を実現している。
【００２４】
チューナＩＣ１２は、周波数シンセサイザ方式のチューナであり、マイコン１１の制御によりテレビジョン放送の放送電波を受信し、中間周波信号（ＩＦ）に変換して出力する。同チューナＩＣ１２は、アンテナ１２ａ、マイコン１１に接続された高周波増幅回路、この高周波増幅回路とマイコン１１に接続された中間周波信号出力回路、等を備えている。中間周波信号出力回路は、マイコン１１に接続された局部発振回路と、この局部発振回路と高周波増幅回路に接続された混合回路とを備えている。なお、これらの回路は、従来から採用されている種々のテレビジョン用の回路を適用することができる。
【００２５】
高周波増幅回路は、バンドパスフィルタを有しており、マイコン１１の制御に基づいて、アンテナ１２ａからこのバンドパスフィルタを介して所望周波数に対応する放送電波を受信し、増幅して高周波信号を作成し、作成した高周波信号を混合回路に出力する。局部発振回路は、ＰＬＬ（Ｐｈａｓｅ  Ｌｏｃｋｅｄ  Ｌｏｏｐ  ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、クロマＩＣ１３に出力する。
【００２６】
クロマＩＣ１３は、チューナＩＣ１２に接続された中間周波増幅（ＶＩＦ）回路と、マイコン１１に接続されたＶＣＯ（Ｖｏｌｔａｇｅ  Ｃｏｎｔｒｏｌｅｄ  Ｏｓｃｉｌｌａｔｏｒ）回路、このＶＣＯ回路とＶＩＦ回路に接続された検波回路、この検波回路に接続されたＡＧＣ回路、同検波回路に接続された同期回路、等を備えている。なお、各回路は、従来から採用されている種々のテレビジョン用の回路を適用することができる。
【００２７】
ＶＩＦ回路は、チューナＩＣ１２から入力される中間周波信号を中間周波増幅し、中間周波増幅した中間周波信号を検波回路に出力する。ＶＣＯ回路は、マイコン１１から入力される電圧に応じて発振する発振信号の発振周波数を変更することが可能であり、同電圧に対応する発振周波数で発振信号を発振する。検波回路は、発振信号の発振周波数に基づいて、ＶＩＦ回路にて中間周波増幅された中間周波信号を検波してＲＧＢ信号とＡＵＤＩＯ信号とを出力する。より具体的にいうと、検波回路は、中間周波増幅された中間周波信号から発振信号の発振周波数に同期しながら映像検波を行い、所定の色復調処理を施してＲＧＢ信号を分離し、外部に出力する。また、音声の信号については、中間周波増幅された中間周波信号のうち音声成分と発振信号とを混合して第二音声中間周波信号を作成し、ＦＭ検波を行ってＡＵＤＩＯ信号とし、外部に出力する。さらに、検波回路は検波の過程で発振信号の発振周波数に基づいて水平・垂直同期信号（ＳＹＮＣ）も作成して同期回路に出力する。
【００２８】
検波回路から出力されたＲＧＢ信号はカソードアンプ２１に出力され、このカソードアンプ２１にて増幅されて受像管（ＣＲＴ）２２に供給される。すると、受像管２２は、増幅されたＲＧＢ信号に基づいて画面表示を行う。一方、上記ＡＵＤＩＯ信号についてはオーディオアンプ２３に出力され、このオーディオアンプ２３で増幅されてスピーカ２４に供給される。そして、スピーカ２４は、増幅されたＡＵＤＩＯ信号に基づいて音声を出力する。
【００２９】
同期回路は、入力される水平・垂直同期信号に基づいてのこぎり波状の水平・垂直ドライブ信号（ＤＲＩＶＥ）を作成し、水平偏向回路２５と垂直偏向回路２６に出力する。水平偏向回路２５と垂直偏向回路２６は、水平ドライブ信号と垂直ドライブ信号に対応した所定の水平ドライブ電流と垂直ドライブ電流を作成し、受像管２２に取り付けられた水平偏向コイル２５ａと垂直偏向コイル２６ａにそれぞれ供給することにより、電子ビームを水平・垂直方向にドライブさせる。また、水平偏向回路で生じる高周波信号は、フライバックトランス（ＦＢＴ）２７に供給され、受像管２２のアノード電極２２ａに供給する高圧ＨＶが発生するようになっている。その結果、受像管２２ではＲＧＢ信号に応じた電子ビームがドライブされながら放出され、受像管２２の管面に画像が現れることになる。
【００３０】
ＡＣＬ（Ａｕｔｏ  Ｃｏｎｔｒａｓｔ  Ｌｉｍｉｔ）回路においては、フライバックトランス２７から受像管２２の管面の輝度に基づく電圧の変化をＡＣＬ電圧として取得している。このＡＣＬ電圧は、クロマＩＣ１３に入力され、クロマＩＣ１３は受像管２２の管面の輝度が所定量より大きくなるとカソードアンプ２１に出力されるＲＧＢ信号を制限する。従って、管面の輝度が過大となることが防止されている。
【００３１】
マイコン１１は、上記高周波増幅回路や局部発振回路やＶＣＯ回路に制御電圧を出力する。この制御を行うため、マイコン１１は、ＣＰＵ１１ａ、ＲＯＭ１１ｂ、ＲＡＭ１１ｃ、Ｄ／Ａ変換器１１ｄ、Ｉ／Ｏポート１１ｅ、図示しないＡ／Ｄ変換器、タイマ回路、等を内蔵している。ここで、同マイコン１１や、チューナＩＣ１２や、クロマＩＣ１３や、カソードアンプ２１や、受像管２２等のデバイスには電源装置９０から複数種類の二次側の直流電圧が供給されており、これらのＩＣは同直流電圧を利用して動作するようになっている。
【００３２】
（２）画像幅について：
図２は、本発明の一実施形態にかかるテレビジョン装置１００の受像管２２の入力系統をブロック図により示している。同図において、電源装置９０により二次側直流電圧＋Ｂが生成されている。二次側直流電圧＋Ｂは、水平偏向回路２５に入力されており、水平偏向回路２５からはのこぎり波状の水平ドライブ電流が出力されている。水平ドライブ電流は水平偏向コイル２５ａに入力されており、これらが磁界を発生させることにより受像管２２の管面に向かう電子ビームに水平方向の振幅を発生させている。従って、電子ビームの振幅で決定される受像管２２の画像幅は、水平ドライブ電流の大きさに依存している。すなわち二次側直流電圧＋Ｂが大きい場合には、水平ドライブ電流が大きくなり画像幅も大きくなる。反対に、直流電圧＋Ｂが小さい場合には、水平ドライブ電流が小さくなり画像幅も小さくなる。
【００３３】
水平偏向コイル２５ａは抵抗分が少ないため、のこぎり波状の水平ドライブ電流の帰線期間には非常に大きいパルス電圧が発生することとなる。このパルス電圧をフライバックトランス２７に入力するとともに、同フライバックトランス２７にて昇圧し高圧ＨＶを生成している。高圧ＨＶは、受像管２２のアノード電極に入力されている。一方、クロマＩＣ１４は、ＲＧＢ信号をカソードアンプ２１に出力している。ここで、カソードアンプ２１に出力される画像の輝度が高い場合にはビーム電流が大きくなり、高圧ＨＶの負荷が増加する。すると、高圧ＨＶの電位は低下し電子ビームはより水平偏向コイルの磁界の影響を受けることとなる。従って、このとき受像管２２の画像幅は大きくなる。反対に、カソードアンプ２１に出力される画像の輝度が小さい場合には高圧ＨＶの電位が高くなるため、受像管２２の画像幅は小さくなる。
【００３４】
画像の輝度が過剰に高いと、画像に白つぶれが発生したり受像管２２の寿命を短くさせる原因ともなる。また、高圧ＨＶの負荷が大きくなるため、高圧発生回路が破壊されるおそれもある。そこで、本実施形態においてはＡＣＬ回路を設けてビーム電流を制限している。図４は、ＡＣＬ回路を模式的に示している。同図において、一端がフライバックトランス２７の低電圧の二次側コイル端子Ｔ１１に接続され、もう一端がグランドに接続されたコンデンサＣ４１が備えられている。ダイオードＤ４１は、カソード側がグランドに接続され、アノード側が二次側コイル端子Ｔ１１に接続されている。コンデンサＣ４１とダイオードＤ４１との間には抵抗Ｒ４１が介在している。コンデンサＣ４１とコイル端子Ｔ１１との間には定電源４２が供給されるためコンデンサＣ４１は常時充電されている。
かかる構成により、受像管のアノード電極に接続されたフライバックトランス２７の高圧の二次側コイル端子Ｔ１２を介してビーム電流が流れると、同ビーム電流の量に応じて抵抗Ｒ４１とコンデンサＣ４１との接続部におけるＡＣＬ電圧の電位が低下する。すなわち、画像の輝度が大きくなるとビーム電流が多く流れるため、これを検知することにより画像の輝度を検出することが可能となっている。
【００３５】
このようにして取得された画像輝度に基づくＡＣＬ電圧は、クロマＩＣに入力されている。クロマＩＣ１４においては、入力されたＡＣＬ電圧の電位が所定量より小さいとき、すなわち所定量より画像の輝度が大きいときには、カソードアンプ２１に出力されるＲＧＢ信号を規制する。従って、画像の輝度が所定量より大きくなることを制限するとともに、同時に高圧ＨＶの電位の低下も抑制されるため受像管２２に映し出される画像が大きくなることも防止されている。
【００３６】
（３）電源装置の構成：
図４は、本発明の一実施形態にかかる電源装置９０の回路構成を示す回路図である。
電源装置９０は、概略、スイッチング回路３１、トランス３２、直流化回路３３、フィードバック回路３４を備えている。そして、商用交流電源をブリッジ整流部９１と電解コンデンサ９２とにて整流、平滑した一次側直流電圧が、スイッチング回路３１に入力されるようになっている。本実施形態では、一次側直流電圧をトランス３２の端子Ｔ１に入力し、同じコイルの他方の端子Ｔ２から出力した後、スイッチング回路３１に入力している。むろん、スイッチング回路は一次側直流電圧をオンオフしてパルス状の一次側電圧を生成することができればよいため、一次側直流電圧を直接スイッチング回路に入力して発振用トランジスタにてオンオフする構成としてもよい。
【００３７】
スイッチング回路３１は、トランス３２の端子Ｔ３に一端を接続された抵抗回路Ｒ１１、この抵抗回路Ｒ１１の他端に一端を接続されたコンデンサＣ１１、このコンデンサＣ１１の他端にベースを接続された発振用トランジスタＱ１１、この発振用トランジスタＱ１１のエミッタとグランドとの間に介在する抵抗回路Ｒ１２、同発振用トランジスタＱ１１のベースとグランドとの間にコレクタ−エミッタ間を接続された発振補助用トランジスタであるｎｐｎ形トランジスタＱ１２、このトランジスタＱ１２のベースとグランドとの間に介在する第二のコンデンサＣ１３、発振用トランジスタＱ１１のエミッタにアノード側を接続されて発振補助用トランジスタＱ１２のベースにカソード側を接続されたダイオードＤ１３、を有している。
【００３８】
上記抵抗回路Ｒ１１とコンデンサＣ１１とから第一の直列回路が構成されるが、同第一の直列回路は、トランス３２の端子Ｔ３に一端を接続されたコンデンサと同コンデンサの他端に一端を接続された抵抗回路とから構成されてもよい。本実施形態の発振補助用トランジスタＱ１２は、コンデンサＣ１１の他端側にコレクタを接続され、グランドにエミッタが接続されている。発振用トランジスタＱ１１は、トランスの端子Ｔ２にコレクタを接続され、グランドに一端を接続された抵抗回路Ｒ１２の他端にエミッタを接続されており、一次側直流電圧をオンオフしてパルス状の一次側電圧を生成する。
【００３９】
トランス３２は、第一の直列回路における発振用トランジスタＱ１１とは反対側の一端、すなわち、抵抗回路Ｒ１１の一端に端子Ｔ３において接続されている。そして、パルス状の一次側電圧を入力して高電位の二次側電圧（第一の二次側電圧）と低電位の二次側電圧（第二の二次側電圧）とを出力する。トランス３２の一次側コイルの端子Ｔ４、二次側コイルの端子Ｔ７，Ｔ９は、グランドに接続されている。本実施形態では、二次側コイルの端子Ｔ５が高電位の二次側電圧の出力部であり、二次側電圧の三つの端子Ｔ６，Ｔ８，Ｔ９が低電位の二次側電圧の出力部である。なお、二次側電圧の出力部は端子Ｔ５，Ｔ６，Ｔ８，Ｔ９の順に電位が低くなっており、二次側コイルの巻数は設計された電位となるように設定されている。
なお、一次側コイルにパルス状の一次側電圧が入力されるため、二次側コイルの端子Ｔ５，Ｔ６，Ｔ８，Ｔ９からの二次側電圧は電圧が振幅しながら出力される。
【００４０】
直流化回路３３は、高電位の二次側電圧の出力部（端子Ｔ５）にアノード側を接続された第一の整流用ダイオードＤ２１、低電位の二次側電圧の出力部（端子Ｔ６，Ｔ８，Ｔ９）のそれぞれにアノード側を接続された三つの第二の整流用ダイオードＤ２２〜Ｄ２４、第一の整流用ダイオードＤ２１のカソード側とグランドとの間に介在する第一の整流用コンデンサである電解コンデンサＣ２１、第二の整流用ダイオードＤ２２のカソード側とグランドとの間にそれぞれ介在する第二の整流用コンデンサである電解コンデンサＣ２２〜Ｃ２４を有している。そして、第一の整流用ダイオードＤ２１のカソード側から高電位の直流電圧（第一の直流電圧）＋Ｂを出力し、第二の整流用ダイオードＤ２２〜Ｄ２４のカソード側のそれぞれから低電位の直流電圧（第二の直流電圧）Ｅ２〜Ｅ３を出力することにより、トランス３２から出力される第一・第二の二次側電圧をそれぞれ四種類の直流電圧＋Ｂ，Ｅ２〜Ｅ４に変換する。振幅する二次側電圧は、ダイオードＤ２１〜Ｄ２４にて整流され、コンデンサＣ２１〜Ｃ２４にて整流されて二次側の直流電圧に変換される。
【００４１】
ここで、直流電圧は電位が＋Ｂ＞Ｅ２＞Ｅ３＞Ｅ４とされているとともに、直流電圧＋Ｂは、水平偏向回路に出力されている。その他の直流電圧もマイコン等の電源供給に利用されている。そして、本テレビジョン装置１００は、高電位・低電位の直流電圧を入力して所定の制御を行いつつ映像を出力する。なお、本実施形態では四種類の直流電圧を出力するようになっているが、直流電圧の種類数は限定されるものではない。例えば、直流電圧を二種類出力する電源装置であってもにも本発明を適用可能であるし、直流電圧を一種類のみ出力する電源装置であっても本発明を適用可能である。
【００４２】
フィードバック回路３４は、トランスの端子Ｔ３と第一の直列回路の抵抗回路Ｒ１１との接続部に一端を接続された第三のコンデンサＣ１２、このコンデンサＣ１２の他端にアノード側を接続されたダイオードＤ１２、このダイオードＤ１２のアノード側にカソード側を接続されてグランドにアノード側を接続されたダイオードＤ１１、同ダイオードＤ１２のカソード側と発振補助用トランジスタＱ１２のベースとの間に出力側の両端を接続されたフォトカプラＩＣＦ１、整流用ダイオードＤ２１のカソード側（高電位の直流電圧の出力部）に一端を接続されてフォトカプラＩＣＦ１の入力側におけるダイオードのアノード側に他端を接続された抵抗回路Ｒ２１、この抵抗回路Ｒ２１の同他端にカソード側を接続されてグランドにアノード側を接続されたツェナーダイオードＤ２５、同抵抗回路Ｒ２１の他端側に一端を接続された抵抗回路Ｒ２２、この抵抗回路Ｒ２２の他端にカソード側を接続されてグランドにアノード側を接続されたツェナーダイオードＤ２６、このツェナーダイオードＤ２６のカソード側とフォトカプラＩＣＦ１の入力側の一端（入力側のダイオードのカソード側）との間にコレクタ−エミッタ間を接続された電源帰還用トランジスタであるｎｐｎ形トランジスタＱ２１、このトランジスタＱ２１のベースにコレクタを接続し、エミッタにグランドに接続し、ベースをＡＣＬ電圧に抵抗回路Ｒ２５，Ｒ２６を介して接続するＡＣＬ帰還用トランジスタであるｎｐｎ形トランジスタＱ２２とを有している。
【００４３】
ここで、ＡＣＬ帰還用トランジスタＱ２２のベースに図３において説明したＡＣＬ電圧が出力されているため、トランジスタＱ２２のエミッタ−コレクタ間に流れる電流は、ＡＣＬ電圧の電位に依存している。ＡＣＬ電圧の電位が高い場合には、トランジスタＱ２２のベース電流が大きくなり、エミッタ−コレクタを介してグランドに流れ込む電流も大きいものとなる。反対に、ＡＣＬ電圧の電位が低い場合には、トランジスタＱ２２のベース電流が少なくなり、エミッタ−コレクタを介してグランドに流出する電流も少ないものとなる。
【００４４】
電源帰還用トランジスタＱ２１のベースには、高電位の直流電圧＋Ｂから抵抗回路Ｒ２３を介して分割した電流が入力されているが、トランジスタＱ２２のエミッタ−コレクタを介してグランドに流れ込む電流の分だけ減少することとなる。すなわち、トランジスタＱ２１のベース電流は、直流電圧＋Ｂから流れ込む電流よりトランジスタＱ２２のエミッタ−コレクタ電流の分だけ少ないものとなる。
【００４５】
上記コンデンサＣ１２とダイオードＤ１２とから第二の直列回路が構成されるが、同第二の直列回路は、トランスの端子Ｔ３にアノード側を接続されたダイオードと同ダイオードのカソード側に一端を接続されたコンデンサとから構成されてもよい。本実施形態では、同第二の直列回路におけるダイオードのカソード側にフォトカプラＩＣＦ１の出力側におけるトランジスタのコレクタが接続されて発振補助用トランジスタＱ１２のベースにフォトカプラＩＣＦ１の出力側におけるトランジスタのベースが接続されている。上記抵抗回路Ｒ２１，Ｒ２２の直列回路から電圧供給用抵抗回路が構成される。
【００４６】
上記ツェナーダイオードＤ２６は、同電圧供給用抵抗回路の他端にカソード側を接続されて基準電位を生成する。ツェナーダイオードＤ２６のカソード側が基準電位の生成部である。上記電源帰還用トランジスタＱ２１は、ツェナーダイオードＤ２６のカソード側にエミッタを接続され、フォトカプラＩＣＦ１の出力側におけるダイオードのカソード側にコレクタを接続されている。そして、電源帰還用トランジスタＱ２１におけるベース電流が所定の電流値以上であるときにフォトカプラＩＣＦ１の入力側のダイオードに帰還電流を流す。
このようにして、フィードバック回路３４は、直流電圧から基準電位を生成するとともに同基準電位と、電源帰還用トランジスタＱ２１のベース電流とを比較しつつスイッチング回路３１に一次側直流電圧をオンオフさせる。
【００４７】
発振用トランジスタＱ１１と第一のコンデンサＣ１１と抵抗回路Ｒ１１とにより発振回路が構成されているので、発振用トランジスタＱ１１は一次側直流電圧をオンオフする。なお、抵抗回路Ｒ１１の抵抗値とコンデンサＣ１１の容量を変えることにより、発振周波数やオンオフのタイミングを調整することができる。すると、一次側直流電圧は発振用トランジスタＱ１１によりオンオフされて、パルス状の一次側電圧が生成する。
【００４８】
発振用トランジスタＱ１１により生成されたパルス状の一次側電圧はトランス３２に入力され、トランス３２から四種類の二次側電圧が出力される。出力された最も高電位の二次側電圧は、第一の整流用ダイオードＤ２１により整流され、第一の整流用コンデンサＣ２２により平滑されて、高電位の直流電圧＋Ｂとされる。また、出力された三種類の低電位の二次側電圧は、それぞれ第二の整流用ダイオードＤ２２〜Ｄ２４により整流され、第二の整流用コンデンサＣ２２〜Ｃ２４により平滑されて、低電位の直流電圧Ｅ２〜Ｅ４とされる。高電位の直流電圧＋Ｂは水平偏向回路２５と垂直偏向回路２６に入力されて、水平ドライブ電流が生成される。
【００４９】
フィードバック回路のツェナーダイオードＤ２５は、高電位の二次側直流電圧＋Ｂの電源ラインから抵抗回路Ｒ２１を介して電圧を供給され、カソード側に同ツェナーダイオードＤ２５固有の所定の電位を生成する。ツェナーダイオードＤ２６は、ツェナーダイオードＤ２５のカソード側から抵抗回路Ｒ２２を介して電圧を供給され、カソード側に同ツェナーダイオードＤ２６固有の所定の基準電位（例えば、７Ｖ）を生成する。そして、上述したように、フィードバック回路３４は、生成された基準電位（ツェナーダイオードＤ２６のカソード側の電位）と、高電位の直流電圧＋Ｂから流れ込む電流およびトランジスタＱ２２のエミッタ−コレクタ電流に基づいて生成されるトランジスタＱ２１のベース電流とを比較しつつスイッチング回路３１に一次側直流電圧をオンオフさせる。
【００５０】
図５は、高電位の直流電圧のフィードバック制御を説明する図である。
図の上側に示すように、発振用トランジスタＱ１１は、一次側直流電圧をオンオフしてパルス状の一次側電圧を生成する。ここで、ある期間Ｔｔに対して、オン（電位がハイ）となっている期間の総和Ｔｓの割合Ｔｓ／Ｔｔをデューティ比と呼ぶ。フィードバック回路３４は、高電位の直流電圧を一定にするようにスイッチング回路３１により生成されるパルス状の一次側電圧のデューティ比Ｔｓ／Ｔｔの増減を制御する。
【００５１】
電源帰還用トランジスタＱ２１はベース電流が多いのでエミッタ−コレクタ間が導通状態となる。すると、抵抗回路Ｒ２１を介して高電位の直流電圧の電源ラインからフォトカプラＩＣＦ１のダイオードに電流が流れ、フォトカプラはオンとなって、フォトカプラＩＣＦ１のトランジスタのコレクタ−エミッタ間が導通状態となる。当該トランジスタのエミッタは第二のコンデンサＣ１３を介してグランドに接続されているので、第三のコンデンサＣ１２とダイオードＤ１２とからなる第二の直列回路と、抵抗回路Ｒ１１と第一のコンデンサＣ１１とからなる第一の直列回路とを介して、発振用トランジスタＱ１１のベースの電流を減少させる。発振用トランジスタＱ１１のベース電流が減少すると、コレクタ−エミッタ間は非導通状態となる期間が長くなり、図の左下部分に示すように、デューティ比Ｔｓ／Ｔｔは小さくなる。その結果、トランス３２から出力される二次側電圧は低下し、直流電圧＋Ｂ，Ｅ２〜Ｅ３の電位も低下する。
【００５２】
一方、電源帰還用トランジスタＱ２１はベース電流が少ないのでエミッタ−コレクタ間が非導通状態となる。すると、フォトカプラＩＣＦ１のダイオードに電流が流れず、フォトカプラはオフとなって、フォトカプラＩＣＦ１のトランジスタのコレクタ−エミッタ間は非導通状態となる。そして、当該トランジスタのコレクタはグランドに一端を接続されたコンデンサＣ１３から遮断されるので、発振用トランジスタＱ１１のベースの電流は減少しない。発振用トランジスタＱ１１はベースの電流が比較的多いのでコレクタ−エミッタ間は導通状態となる期間が長くなり、図の右下部分に示すように、デューティ比Ｔｓ／Ｔｔは大きくなる。その結果、トランス３２から出力される二次側電圧は上昇し、直流電圧＋Ｂ，Ｅ２〜Ｅ３の電位も上昇する。
【００５３】
（４）動作について：
図６は、本実施形態の電源装置９０の動作を示している。同図においては、受像管２２に映し出される画像の輝度が大きいときの動作を示している。この場合においては、受像管２２のアノード電極に流れるビーム電流が大きいため、高圧ＨＶは負荷が大きくなり電圧が小さくなる。同時に、電子ビームは偏向されやすく、画像の幅は大きくなっている。さらに、ＡＣＬ電圧の電位も低下している。ＡＣＬ電圧の電位が所定量より低くなると、クロマＩＣ１３は出力されるＲＧＢ信号の輝度を制限するため、受像管２２のアノード電極に流れるビーム電流が減少して高圧ＨＶが大きくなる。従って、受像管２２に映し出される画像幅が大きくなることが防止される。
【００５４】
一方、ＡＣＬ帰還用トランジスタＱ２２のベース電流は少ないため、同トランジスタＱ２２のコレクタ−エミッタを介してグランドに流れ込む電流は小さいものとなる。従って、ＡＣＬ電圧の電位が低い場合には、トランジスタＱ２１のベース電流は、直流電圧＋Ｂから流れ込む電流に大きく依存することとなる。すなわち、直流電圧＋Ｂの電位が高い場合には、直流電圧＋Ｂから流れ込む電流も多く、トランジスタＱ２１のコレクタ−エミッタ間に電流が多く流れ、トランス３２から出力される二次側電圧は低下し、直流電圧＋Ｂも小さくなる。反対に、直流電圧＋Ｂの電位が低い場合には、直流電圧＋Ｂから流れ込む電流も少なく、直流電圧＋Ｂが大きくなる。すなわち、ＡＣＬ電圧の電位が低い場合においては、直流電圧＋Ｂを一定化するための定電圧回路を構成することとなる。
【００５５】
図７は、本実施形態の電源装置９０の動作を示している。同図においては、受像管２２に映し出される画像の輝度が小さいときの動作を示している。この場合においては、受像管２２のアノード電極に流れるビーム電流が小さいため、高圧ＨＶは負荷が小さくなり電圧が大きくなる。同時に、電子ビームは偏向され難く、画像の幅は小さくなっている。さらに、ＡＣＬ電圧の電位も高くなっている。すると、ＡＣＬ帰還用トランジスタＱ２２のベース電流も多く、トランジスタＱ２２のコレクタ−エミッタを介してグランドに流れ込む電流が大きくなる。トランジスタＱ２２のコレクタ−エミッタを介してグランドに流れ込んだ電流の分だけ、電源帰還用トランジスタＱ２１のベース電流が減少し、トランジスタＱ２１のエミッタの電位は上記基準電位より小さいものとなる。その結果、トランス３２から出力される二次側電圧は上昇し、直流電圧＋Ｂの電位も上昇する。
【００５６】
直流電圧＋Ｂの電位が上昇すると、直流電圧＋Ｂから生成される水平ドライブ電流も多くなり、水平偏向コイルにて発生する磁界が強化される。すると、電子ビームは偏向しやすくなるため、水平方向の画像幅が大きくされる。すなわち、画像の輝度が小さいにも拘わらず、画像幅が小さくなることを防止することが可能となっている。
【００５７】
（５）まとめ：
以上説明したように本発明によれば、ＡＣＬ電圧を電源装置のフィードバック回路にトランジスタを介して入力することで、受像管の管面輝度に基づき電源装置の出力を制御することができる。受像管の管面輝度が大きい場合には、ＡＣＬ回路によりカソードアンプに出力される映像信号のコントラストを制限することで、画像幅の広がりを防止するとともに、電源装置は定電圧を維持する。一方、管面輝度が小さい場合には、電源装置の出力を大きくし、水平偏向回路の出力を高めることにより、水平方向に画像幅が狭まることを防止する。
【図面の簡単な説明】
【図１】本発明の一実施形態にかかる電源装置を採用したテレビジョン装置の構成の概略ブロック図である。
【図２】本発明の一実施形態にかかる受像管の入力系統の構成を示すブロック図である。
【図３】本発明の一実施形態にかかるＡＣＬ回路の回路構成を示す回路図である。
【図４】高電位の直流電圧のフィードバック制御を説明する図である。
【図５】直流電圧のフィードバック制御を説明する図である。
【図６】本発明の一実施形態にかかる電源装置おける管面輝度が大きい場合の動作を説明する図である。
【図７】本発明の一実施形態にかかる電源装置おける管面輝度が小さい場合の動作を説明する図である。
【符号の説明】
２７…フライバックトランス
２８…ＡＣＬ回路
３１…スイッチング回路
３２…トランス
３３…直流化回路
３４…フィードバック回路
９０…電源装置
９１…ブリッジ整流部
９２…電解コンデンサ
１００…テレビジョン装置
Ｃ１１…第一のコンデンサ
Ｃ１２…第三のコンデンサ
Ｃ１３…第二のコンデンサ
Ｃ２１…第一の整流用コンデンサ
Ｃ２２〜Ｃ２４…第二の整流用コンデンサ
Ｄ１１〜Ｄ１３，Ｄ２７，Ｄ４１…ダイオード
Ｄ２１…第一の整流用ダイオード
Ｄ２２〜Ｄ２４…第二の整流用ダイオード
Ｄ２５，Ｄ２６…ツェナーダイオード
Ｆ１…フォトカプラＩＣ
Ｑ１１…発振用トランジスタ
Ｑ２１…電源帰還用トランジスタ
【図１】
2004343289.tif 000003
【図２】
2004343289.tif 000004
【図３】
2004343289.tif 000005
【図４】
2004343289.tif 000006
【図５】
2004343289.tif 000007
【図６】
2004343289.tif 000008
【図７】
2004343289.tif 000009